(57)【特許請求の範囲】
【請求項１】
第１記録ステップにおいて、第１ディジタル情報信号を格納媒体の第１格納領域に格納し、
−  前記第１ディジタル情報信号を受ける入力手段と、
−  情報パケットのシリアルデータストリームを得るために前記第１ディジタル情報信号を符号化する第１符号化手段であって、前記シリアルデータストリームが前記第１ディジタル情報信号の情報の部分を具える第１パケットを具え、該第１符号化手段が、前記第１パケットおよび他のパケットが互いに関係することを示すプログラム情報を構成するパケットを発生するのにも適合し、前記パケットから成るプログラム情報を前記シリアルデータストリームに含める、第１符号化手段と、
−  第１チャネル信号を得るために前記情報パケットのシリアルデータストリームをチャネル符号化する第２符号化手段と、
−  前記第１チャネル信号を前記格納媒体の第１格納領域に格納する格納手段とを具え、第１再生ステップにおける前記第１ディジタル情報信号の前記第１格納領域からの再生にさらに適合し、さらに、
−  前記第１チャネル信号を前記第１格納領域から検索する検索手段と、
−  前記情報パケットのシリアルデータストリームの複製を得るために前記第１チャネル信号をチャネル復号化するチャネル復号化手段とを具える装置において、
（ａ）記録ステップ中、前記第１符号化手段が、前記第１パケットと少なくとも第２パケットとが互いに関係することを示す、パケットから成るプログラム情報を発生するのに適合し、
（ｂ）該装置が、その後の編集モードにおいて第２ディジタル情報信号を前記格納媒体の第２格納領域に記録するのにさらに適合し、前記入力手段が前記第２ディジタル情報信号を受けるのにさらに適合し、前記第１符号化手段が、前記第２パケットを具える第２シリアルデータストリームを得るために前記第２ディジタル情報信号を符号化するのにさらに適合し、前記第２パケットが前記第２ディジタル情報信号の情報の部分を具え、前記第２符号化手段が、第２チャネル信号を得るために前記第２シリアルデータストリームをチャネル符号化するのにさらに適合し、前記書き込み手段が、前記第２チャネル信号を前記格納媒体の第２格納領域に書き込むのにさらに適合し、
（ｃ）前記再生ステップにおいて、該装置が、前記読み出し手段を使用して、前記第１ディジタル情報信号および／または第２ディジタル情報信号を、前記第１格納領域および第２格納領域から各々再生するのに適合することを特徴とする装置。
【請求項２】
請求の範囲１に記載の装置において、前記格納媒体をハードディスク形式の格納媒体としたことを特徴とする装置。
【請求項３】
請求の範囲１に記載の装置において、前記格納媒体を長手記録キャリヤとしたことを特徴とする装置。
【請求項４】
請求の範囲１に記載の装置において、さらに、
−  前記パケットから成るプログラム情報を使用して、前記第１ディジタル情報信号の複製を得るために前記第１パケットを復号化する第１復号化手段と、
−  前記第１ディジタル情報信号の複製を供給する出力手段とを具えることを特徴とする装置。
【請求項５】
請求の範囲１または３に記載の装置において、前記第１ディジタル情報信号をディジタルビデオ信号としたことを特徴とする装置。
【請求項６】
請求の範囲５に記載の装置において、前記第２ディジタル情報信号をディジタルオーディオ信号としたことを特徴とする装置。
【請求項７】
請求の範囲３に記載の装置において、情報を前記記録キャリヤに記録して前記記録キャリヤを斜め方向に横切って延在する情報トラックを生成するために、前記第１格納領域を前記トラックに含まれる第１トラック部分の形態とし、前記第２格納領域を前記トラックに含まれる第２トラック部分の形態としたことを特徴とする装置。
【請求項８】
請求の範囲７に記載の装置において、第３ディジタル情報信号を前記トラックの第１トラック部分に記録するために、前記入力手段が前記第３ディジタル情報信号を受けるのにさらに適合し、前記第１符号化手段が前記第３ディジタル情報信号を符号化してその符号化第３ディジタル情報信号を前記情報パケットのシリアルデータストリームに含めるのにさらに適合し、前記シリアルデータストリームがさらに前記第３ディジタル情報信号の情報の部分を具える第３パケットを具え、前記シリアルデータストリームに含まれるパケットから成るプログラム情報が前記第１および第３パケットが互いに関係することを示し、該装置がさらに前記再生ステップにおいて前記第１トラック部分から前記第１および第３ディジタル情報信号を再生するのに適合することを特徴とする装置。
【請求項９】
請求の範囲８に記載の装置において、前記第３ディジタル情報信号をディジタルオーディオ信号としたことを特徴とする装置。
【請求項１０】
ディジタルビデオ信号および対応するディジタルオーディオ信号を、記録キャリヤにおける第１トラック部分に記録し、
−  前記ディジタルビデオ信号およびディジタルオーディオ信号を受ける入力手段と、
−  情報パケットのシリアルデータストリームを得るために前記ディジタルビデオ信号およびディジタルオーディオ信号を符号化する第１符号化手段であって、前記シリアルデータストリームが、前記ディジタルビデオ信号の情報の部分を具える第１パケットと前記ディジタルオーディオ信号の情報の部分を具える第２パケットとを具え、該第１符号化手段が、前記第１パケットおよび第２パケットが互いに関係することを示すプログラム情報を構成するパケットを発生するのにさらに適合し、前記パケットから成るプログラム情報を前記シリアルデータストリーム中に含める、第１符号化手段と、
−  第１チャネル信号を得るために前記情報パケットのシリアルデータストリームをチャネル符号化する第２符号化手段と、
−  少なくとも１つの書き込みヘッドを具え、前記第１チャネル信号を前記トラックの第１トラック部分に書き込む書き込み手段とを具え、
再生ステップにおいて、前記ディジタルビデオ信号および対応するディジタルオーディオ信号を前記第１トラック部分から再生するのにさらに適合し、さらに、
−  少なくとも１つの読み出しヘッドを具え、前記第１チャネル信号を前記トラックの第１トラック部分から読み出す読み出し手段と、
−  前記情報パケットのシリアルデータストリームの複製を得るために前記第１チャネル信号をチャネル復号化するチャネル復号化手段と、
−  前記パケットから成るプログラム情報を使用して、前記ディジタルビデオ信号の複製を得るために前記第１パケットを復号化し、前記ディジタルオーディオ信号の複製を得るために前記第２パケットを復号化する第１復号化手段と、
−  前記ディジタルビデオ信号およびディジタルオーディオ信号の複製を供給する出力手段とを具えるヘリカルスキャン形式の装置において、
（ａ）記録ステップ中、前記第１符号化手段が、前記第１パケットおよび第２パケットと少なくとも第３パケットとが互いに関係することを示す、パケットから成るプログラム情報を発生するのに適合し、
（ｂ）該装置が、その後の編集モードにおいて第２ディジタルオーディオ信号を前記トラックの第２トラック部分に記録するのにさらに適合し、前記入力手段が前記第２ディジタルオーディオ信号を受けるのにさらに適合し、前記第１符号化手段が、前記第３パケットの第２シリアルデータストリームを得るために前記第２ディジタルオーディオ信号を符号化するのにさらに適合し、前記第３パケットが前記第２ディジタルオーディオ信号の情報の部分を具え、前記第２符号化手段が、第２チャネル信号を得るために前記第２シリアルデータストリームをチャネル符号化するのにさらに適合し、前記書き込み手段が、前記第２チャネル信号を前記トラックの第２トラック部分に書き込むのにさらに適合し、
（ｃ）前記再生ステップにおいて、該装置が、前記読み出し手段を使用して、前記ディジタルビデオ信号および第１ディジタルオーディオ信号を、前記第１トラック部分から再生し、前記ディジタルビデオ信号および第２ディジタルオーディオ信号を、前記第１および第２トラック部分から各々再生するのに適合することを特徴とする装置。
【請求項１１】
請求の範囲１０に記載の装置において、前記記録ステップにおいて、前記第１符号化手段が前記第３パケットのシリアルデータストリームを発生するのにさらに適合し、前記第３パケットがゼロ振幅のディジタルオーディオ信号に対応する情報の部分を具え、前記第２符号化手段が前記第１および第２チャネル信号を得るために前記第１および第２シリアルデータストリームをチャネル符号化するのにさらに適合し、前記書き込み手段が前記第１および第２チャネル信号を前記トラックの第１および第２トラック部分に各々書き込むのにさらに適合することを特徴とする装置。
【請求項１２】
請求の範囲３に記載の装置において、情報を前記記録キャリヤに記録して前記記録キャリヤの長手方向に延在する情報トラックを生成するために、前記第１格納領域を前記記録キャリヤにおける多数の少なくとも１つの第１トラックの形態とし、前記第２格納領域を前記記録キャリヤにおける多数の少なくとも１つの第２トラックの形態としたことを特徴とする装置。
【請求項１３】
第１記録ステップにおいて、第１ディジタル情報信号を格納媒体の第１格納領域に格納し、前記第１ディジタル情報信号が情報パケットのシリアルデータストリームに含まれ、前記シリアルデータストリームが前記第１ディジタル情報信号の情報の部分を具える第１パケットを具えると共にパケットから成るプログラム情報を具え、前記パケットから成るプログラム情報に含まれるプログラム情報が前記第１パケットおよび他のパケットが互いに関係することを示し、
−  前記情報パケットのシリアルデータストリームを受ける入力手段と、
−  第１チャネル信号を得るために、前記情報パケットのシリアルデータストリームをチャネル符号化するチャネル符号化手段と、
−  前記第１チャネル信号を、前記格納媒体の第１格納領域に格納する格納手段とを具え、
再生ステップにおいて、前記第１ディジタル情報信号を前記第１格納領域から再生するのにさらに適合し、さらに、
−  前記第１チャネル信号を前記第１格納領域から検索する検索手段と、
−  前記情報パケットのシリアルデータストリームの複製を得るために、前記第１チャネル信号をチャネル復号化するチャネル復号化手段とを具える装置において、
前記パケットから成るプログラム情報を変換パケットに変換する変換手段を設け、
（ａ）記録ステップ中、前記変換手段が前記パケットから成るプログラム情報を、前記第１パケットおよび第２パケットが互いに関係することを示すプログラム情報を構成する変換パケットに変換するのに適合し、
（ｂ）該装置がその後の編集モードにおいて第２ディジタル情報信号を前記格納媒体の第２格納領域に記録するのにさらに適合し、前記第２ディジタル情報信号が第２パケットを具える第２シリアルデータストリームに含まれ、前記第２パケットが前記第２ディジタル情報信号の情報の部分を具え、前記チャネル符号化手段が第２チャネル信号を得るために前記第２シリアルデータストリームをチャネル符号化するのにさらに適合し、前記書き込み手段が前記第２チャネル信号を前記格納媒体の第２格納領域に書き込むのにさらに適合し、
（ｃ）前記再生ステップにおいて、該装置が、前記読み出し手段を使用して、前記第１ディジタル情報信号および／または第２ディジタル情報信号を、前記第１格納領域および／または第２格納領域から再生するのにさらに適合することを特徴とする装置。
【請求項１４】
請求の範囲１３に記載の装置において、前記格納媒体をハードディスク形式の格納媒体としたことを特徴とする装置。
【請求項１５】
請求の範囲１３に記載の装置において、前記格納媒体を長手記録キャリヤとしたことを特徴とする装置。
【請求項１６】
請求の範囲１３に記載の装置において、さらに、
−  前記パケヅトから成るプログラム情報を使用して、前記第１ディジタル情報信号の複製を得るために前記第１パケットを復号化する第１復号化手段と、
−  前記第１ディジタル情報信号の複製を供給する出力手段とを具えることを特徴とする装置。
【請求項１７】
請求の範囲１３または１５に記載の装置において、前記第１ディジタル情報信号をディジタルビデオ信号としたことを特徴とする装置。
【請求項１８】
請求の範囲１７に記載の装置において、前記第２ディジタル情報信号をディジタルオーディオ信号としたことを特徴とする装置。
【請求項１９】
請求の範囲１５に記載の装置において、情報を前記記録キャリヤに記録して前記記録キャリヤを斜め方向に横切って延在する情報トラックを生成するために、前記第１格納領域を前記トラックに含まれる第１トラック部分の形態とし、前記第２格納領域を前記トラックに含まれる第２トラック部分の形態としたことを特徴とする装置。
【請求項２０】
請求の範囲７に記載の装置において、第３ディジタル情報信号を前記トラックの第１トラック部分に記録するために、前記入力手段が前記第３ディジタル情報信号を受けるのにさらに適合し、前記第２符号化手段が前記第３ディジタル情報信号を符号化してその符号化第３ディジタル情報信号を前記情報パケットのシリアルデータストリームに含めるのにさらに適合し、前記シリアルデータストリームがさらに前記第３ディジタル情報信号の情報の部分を具える第３パケットを具え、前記シリアルデータストリームに含まれるパケットから成るプログラム情報が前記第１および第３パケットが互いに関係することを示し、該装置がさらに前記再生ステップにおいて前記第１トラック部分から前記第１および第３ディジタル情報信号を再生するのに適合することを特徴とする装置。
【請求項２１】
請求の範囲２０に記載の装置において、前記第３ディジタル情報信号をディジタルオーディオ信号としたことを特徴とする装置。
【請求項２２】
記録ステップにおいて、ディジタルビデオ信号および対応するディジタルオーディオ信号を記録キャリヤにおける第１トラック部分に記録し、前記ディジタルビデオ信号およびディジタルオーディオ信号が情報パケットのシリアルデータストリームに含まれ、前記シリアルデータストリームが前記ディジタルビデオ信号の情報の部分を具える第１パケットと前記ディジタルオーディオ信号の情報の部分を具える第２パケットとを具えると共にパケットから成るプログラム情報を具え、前記パケットから成るプログラムに含まれるプログラム情報が前記第１パケットおよび第２パケットが互いに関係することを示し、
−  前記情報パケットのシリアルデータストリームを受ける入力手段と、
−  第１チャネル信号を得るために前記情報パケットのシリアルデータストリームをチャネル符号化するチャネル符号化手段と、
−  前記第１チャネル信号を前記トラックの第１トラック部分に書き込む少なくとも１つの書き込みヘッドを具える書き込み手段とを具え、再生ステップにおいて、前記ディジタルビデオ信号およびディジタルオーディオ信号を前記第１トラック部分から再生するのにさらに適合し、さらに、
−  前記第１チャネル信号を前記トラックの第１トラック部分から読み出す少なくとも１つの読み出しヘッドを具える読み出し手段と、
−  前記情報パケットのシリアルデータストリームの複製を得るために前記第１チャネル信号をチャネル復号化するチャネル復号化手段と、
−  前記パケットを具えるシリアルデータストリームを使用して、前記ディジタルビデオ信号の複製を得るために前記第１パケットを復号化し、前記ディジタルオーディオ信号の複製を得るために前記第２パケットを復号化する第１復号化手段と、
−  前記ディジタルビデオ信号およびディジタルオーディオ信号の複製を供給する出力手段とを具える装置において、前記パケットから成るプログラム情報を変換パケットに変換する変換手段を設け、
（ａ）記録ステップ中、前記変換手段が、前記パケットから成るプログラム情報を、前記第１パケットと少なくとも第２パケットと少なくとも第３パケットとが互いに関係することを示すプログラム情報を含む変換パケットに変換するのに適合し、
（ｂ）該装置が、その後の編集モードにおいて、第２ディジタルオーディオ信号を前記トラックの第２トラック部分に記録するのにさらに適合し、前記入力手段が前記第２ディジタルオーディオ信号を受けるのにさらに適合し、前記第２ディジタルオーディオ信号が第３パケットの第２シリアルデータストリームに含まれ、前記第３パケットが前記第２ディジタルオーディオ信号の情報の部分を具え、前記チャネル符号化手段が第２チャネル信号を得るために前記第２シリアルデータストリームをチャネル符号化するのにさらに適合し、前記書き込み手段が前記第２チャネル信号を前記トラックの第２トラック部分に書き込むのにさらに適合し、
（ｃ）前記再生ステップにおいて、該装置が、前記読み出し手段を使用して、前記ディジタルビデオ信号および第１ディジタルオーディオ信号を前記第１トラック部分から再生し、前記ディジタルビデオ信号および第２ディジタルオーディオ信号を前記第１および第２トラック部分から各々再生するのにさらに適合することを特徴とする装置。
【請求項２３】
請求の範囲２２に記載の装置において、前記記録ステップにおいて、前記符号化手段が前記第３パケットのシリアルデータストリームを発生するのにさらに適合し、前記第３パケットがゼロ振幅のディジタルオーディオ信号に対応する情報の部分を具え、前記チャネル符号化手段が前記第１および第２チャネル信号を得るために前記第１および第２シリアルデータストリームをチャネル符号化するのにさらに適合し、前記書き込み手段が前記第１および第２チャネル信号を前記トラックの第１および第２トラック部分に各々書き込むのにさらに適合することを特徴とする装置。
【請求項２４】
請求の範囲１５に記載の装置において、情報を前記記録キャリヤに記録して前記記録キャリヤの長手方向に延在する情報トラックを生成するために、前記第１格納領域を前記記録キャリヤにおける多数の少なくとも１つの第１トラックの形態とし、前記第２格納領域を前記記録キャリヤにおける多数の少なくとも１つの第２トラックの形態としたことを特徴とする装置。
【請求項２５】
第１記録ステップにおいて、第１ディジタル情報信号を格納媒体の第１格納領域に格納し、
−  前記第１ディジタル情報信号を受ける入力手段と、
−  情報パケットのシリアルデータストリームを得るために前記第１ディジタル情報信号を符号化する第１符号化手段であって、前記シリアルデータストリームが前記第１ディジタル情報信号の情報の部分を具える第１パケットを具え、該第１符号化手段がパケットから成る第１プログラム情報を発生するのにさらに適合し、前記パケットから成る第１プログラム情報も前記シリアルデータストリームに含まれる、第１符号化手段と、
−  第１チャネル信号を得るために前記情報パケットのシリアルデータストリームをチャネル符号化する第２符号化手段と、
−  前記第１チャネル信号を前記格納媒体の第１格納領域に格納する格納手段とを具え、第１再生ステップにおける前記第１ディジタル情報信号の前記第１格納領域からの再生にさらに適合し、さらに、
−  前記第１チャネル信号を前記第１格納領域から検索する検索手段と、
−  前記情報パケットのシリアルデータストリームの複製を得るために前記第１チャネル信号をチャネル復号化するチャネル復号化手段とを具える装置において、
（ａ）記録ステップ中、前記第１符号化手段が、未知の形式の第２ディジタル情報信号の情報の部分を具える第２パケットが存在するかもしれないことを示す、パケットから成る第１プログラム情報を発生するのに適合し、
（ｂ）該装置が、その後の編集モードにおいて第２ディジタル情報信号を前記格納媒体の第２格納領域に記録するのにさらに適合し、前記入力手段が前記第２ディジタル情報信号を受けるのにさらに適合し、前記第１符号化手段が、前記第２パケットとパケットから成る第２プログラム情報とを具える第２シリアルデータストリームを得るために前記第２ディジタル情報信号を符号化するのにさらに適合し、前記第２パケットが前記第２ディジタル情報信号の情報の部分と前記第２ディジタル情報信号の形式を示す情報を具えるパケットから成る第２プログラム情報とを具え、前記第２符号化手段が、第２チャネル信号を得るために前記第２シリアルデータストリームをチャネル符号化するのにさらに適合し、前記書き込み手段が、前記第２チャネル信号を前記格納媒体の第２格納領域に書き込むのにさらに適合し、
（ｃ）前記再生ステップにおいて、該装置が、前記読み出し手段を使用して、前記第１ディジタル情報信号および／または第２ディジタル情報信号を、前記第１格納領域および第２格納領域から各々再生するのに適合することを特徴とする装置。
【請求項２６】
請求の範囲２５に記載の装置において、前記格納媒体をハードディスク形式の格納媒体としたことを特徴とする装置。
【請求項２７】
請求の範囲２５に記載の装置において、前記格納媒体を長手記録キャリヤとしたことを特徴とする装置。
【請求項２８】
請求の範囲２５に記載の装置において、さらに、
−  前記パケットから成るプログラム情報を使用して、前記第１ディジタル情報信号の複製を得るために前記第１パケットを復号化する第１復号化手段と、
−  前記第１ディジタル情報信号の複製を供給する出力手段とを具えることを特徴とする装置。
【請求項２９】
請求の範囲２５または２７に記載の装置において、前記第１ディジタル情報信号をディジタルビデオ信号としたことを特徴とする装置。
【請求項３０】
請求の範囲２９に記載の装置において、前記第２ディジタル情報信号をディジタルオーディオ信号としたことを特徴とする装置。
【請求項３１】
請求の範囲２７に記載の装置において、情報を前記記録キャリヤに記録して前記記録キャリヤを斜め方向に横切って延在する情報トラックを生成するために、前記第１格納領域を前記トラックに含まれる第１トラック部分の形態とし、前記第２格納領域を前記トラックに含まれる第２トラック部分の形態としたことを特徴とする装置。
【請求項３２】
請求の範囲３１に記載の装置において、第３ディジタル情報信号を前記トラックの第１トラック部分に記録するために、前記入力手段が前記第３ディジタル情報信号を受けるのにさらに適合し、前記第１符号化手段が前記第３ディジタル情報信号を符号化してその符号化第３ディジタル情報信号を前記情報パケットのシリアルデータストリームに含めるのにさらに適合し、前記シリアルデータストリームがさらに前記第３ディジタル情報信号の情報の部分を具える第３パケットを具え、前記シリアルデータストリームに含まれるパケットから成るプログラム情報が前記第１および第３パケットが互いに関係することを示し、該装置がさらに前記再生ステップにおいて前記第１トラック部分から前記第１および第３ディジタル情報信号を再生するのに適合することを特徴とする装置。
【請求項３３】
請求の範囲３２に記載の装置において、前記第３ディジタル情報信号をディジタルオーディオ信号としたことを特徴とする装置。
【請求項３４】
ディジタルビデオ信号および対応するディジタルオーディオ信号を、記録キャリヤにおける第１トラック部分に記録し、
−  前記ディジタルビデオ信号およびディジタルオーディオ信号を受ける入力手段と、
−  情報パケットのシリアルデータストリームを得るために前記ディジタルビデオ信号およびディジタルオーディオ信号を符号化する第１符号化手段であって、前記シリアルデータストリームが前記ディジタルビデオ信号の情報の部分を具える第１パケットと前記ディジタルオーディオ信号の情報の部分を具える第２パケットとを具え、該第１符号化手段がパケットから成る第１プログラム情報を発生するのにさらに適合し、前記パケットから成るプログラム情報も前記シリアルデータストリーム中に含まれる、第１符号化手段と、
−  第１チャネル信号を得るために前記パケットのシリアルデータストリームをチャネル符号化する第２符号化手段と、
−  少なくとも１つの書き込みヘッドを具え、前記第１チャネル信号を前記トラックの第１トラック部分に書き込む書き込み手段とを具え、再生ステップにおいて、前記ディジタルビデオ信号および対応するディジタルオーディオ信号を前記第１トラック部分から再生するのにさらに適合し、さらに、
−  少なくとも１つの読み出しヘッドを具え、前記第１チャネル信号を前記トラックの第１トラック部分から読み出す読み出し手段と、
−  前記情報パケットのシリアルデータストリームの複製を得るために前記第１チャネル信号をチャネル復号化するチャネル復号化手段と、
−  前記パケットから成るプログラム情報を使用して、前記ディジタルビデオ信号の複製を得るために前記第１パケットを復号化し、前記ディジタルオーディオ信号の複製を得るために前記第２パケットを復号化する第１復号化手段と、
−  前記ディジタルビデオ信号およびディジタルオーディオ信号の複製を供給する出力手段とを具えるヘリカルスキャン形式の装置において、
（ａ）記録ステップ中、前記第１符号化手段が、前記第１パケットおよび第２パケットが互いに関係し、未知の形式の第３ディジタル情報信号の情報の部分を具える第３パケットがあるかも知れないことを示す、パケットから成るプログラム情報を発生するのに適合し、
（ｂ）該装置が、その後の編集モードにおいて第３ディジタル情報信号を前記トラックの第２トラック部分に記録するのにさらに適合し、前記入力手段が前記第３ディジタル情報信号を受けるのにさらに適合し、前記第１符号化手段が、前記第３パケットとパケットから成る第２プログラム情報との第２シリアルデータストリームを得るために前記第３ディジタル情報信号を符号化するのにさらに適合し、前記第３パケットが前記第３ディジタル情報信号の情報の部分と前記第３ディジタル情報信号の形式を示す情報を具えるパケットから成る第２プログラム情報とを具え、前記第２符号化手段が第２チャネル信号を得るために前記第２シリアルデータストリームをチャネル符号化するのにさらに適合し、前記書き込み手段が、前記第２チャネル信号を前記トラックの第２トラック部分に書き込むのにさらに適合し、
（ｃ）前記再生ステップにおいて、該装置が、前記読み出し手段を使用して、前記ディジタルビデオ信号および第１ディジタルオーディオ信号を前記第１トラック部分から再生し、前記第３ディジタル情報信号を前記第２トラック部分から各々再生するのに適合することを特徴とする装置。
【請求項３５】
請求の範囲３４に記載の装置において、前記記録ステップにおいて、前記第１符号化手段が前記第３パケットのシリアルデータストリームを発生するのにさらに適合し、前記第３パケットがゼロ振幅のディジタルオーディオ信号に対応する情報の部分を具え、前記第２符号化手段が前記第１および第２チャネル信号を得るために前記第１および第２シリアルデータストリームをチャネル符号化するのにさらに適合し、前記書き込み手段が前記第１および第２チャネル信号を前記トラックの第１および第２トラック部分に各々書き込むのにさらに適合することを特徴とする装置。
【請求項３６】
請求の範囲２７に記載の装置において、情報を前記記録キャリヤに記録して前記記録キャリヤの長手方向に延在する情報トラックを生成するために、前記第１格納領域を前記記録キャリヤにおける多数の少なくとも１つの第１トラックの形態とし、前記第２格納領域を前記記録キャリヤにおける多数の少なくとも１つの第２トラックの形態としたことを特徴とする装置。
【請求項３７】
第１記録ステップにおいて、第１ディジタル情報信号を格納媒体の第１格納領域に格納し、前記第１ディジタル情報信号が情報パケットのシリアルデータストリームに含まれ、前記シリアルデータストリームが前記第１ディジタル情報信号の情報の部分を具える第１パケットを具えると共にパケットから成るプログラム情報を具え、前記パケットから成るプログラム情報に含まれるプログラム情報が前記シリアルデータストリームが前記第１ディジタル情報信号の第１パケットを具えることを示し、
−  前記パケットのシリアルデータストリームを受ける入力手段と、
−  第１チャネル信号を得るために、前記パケットのシリアルデータストリームをチャネル符号化するチャネル符号化手段と、
−  前記第１チャネル信号を、前記格納媒体の第１格納領域に格納する格納手段とを具え、再生ステップにおいて、前記第１ディジタル情報信号を前記第１格納領域から再生するのにさらに適合し、さらに、
−  前記第１チャネル信号を前記第１格納領域から検索する検索手段と、
−  前記パケットのシリアルデータストリームの複製を得るために、前記第１チャネル信号をチャネル復号化するチャネル復号化手段とを具える装置において、
前記パケットから成るプログラム情報を変換パケットに変換する変換手段を設け、
（ａ）記録ステップ中、前記変換手段が前記パケットから成るプログラム情報を、未知の形式の第２ディジタル情報信号の情報の部分を具える第２パケットがあるかもしれないことを示すプログラム情報を構成する変換パケットに変換するのに適合し、
（ｂ）該装置がその後の編集モードにおいて第２ディジタル情報信号を前記格納媒体の第２格納領域に記録するのにさらに適合し、前記入力手段が前記第２ディジタル情報信号を受けるのにさらに適合し、前記第２ディジタル情報信号が第２パケットとパケットから成る第２プログラム情報とを具える第２シリアルデータストリームに含まれ、前記第２パケットが前記第２ディジタル情報信号の情報の部分と前記第２ディジタル情報信号の形式を示す情報を具えるパケットから成る第２プログラム情報とを具え、前記チャネル符号化手段が第２チャネル信号を得るために前記第２シリアルデータストリームをチャネル符号化するのにさらに適合し、前記書き込み手段が前記第２チャネル信号を前記格納媒体の第２格納領域に書き込むのにさらに適合し、
（ｃ）前記再生ステップにおいて、該装置が、前記読み出し手段を使用して、前記第１ディジタル情報信号および／または第２ディジタル情報信号を、前記第１格納領域および／または第２格納領域から再生するのにさらに適合することを特徴とする装置。
【請求項３８】
請求の範囲３７に記載の装置において、前記格納媒体をハードディスク形式の格納媒体としたことを特徴とする装置。
【請求項３９】
請求の範囲３７に記載の装置において、前記格納媒体を長手記録キャリヤとしたことを特徴とする装置。
【請求項４０】
請求の範囲３７に記載の装置において、さらに、
−  前記パケットから成るプログラム情報を使用して、前記第１ディジタル情報信号の複製を得るために前記第１パケットを復号化する第１復号化手段と、
−  前記第１ディジタル情報信号の複製を供給する出力手段とを具えることを特徴とする装置。
【請求項４１】
請求の範囲３７または３９に記載の装置において、前記第１ディジタル情報信号をディジタルビデオ信号としたことを特徴とする装置。
【請求項４２】
請求の範囲４１に記載の装置において、前記第２ディジタル情報信号をディジタルオーディオ信号としたことを特徴とする装置。
【請求項４３】
請求の範囲３９に記載の装置において、情報を前記記録キャリヤに記録して前記記録キャリヤを斜め方向に横切って延在する情報トラックを生成するために、前記第１格納領域を前記トラックに含まれる第１トラック部分の形態とし、前記第２格納領域を前記トラックに含まれる第２トラック部分の形態としたことを特徴とする装置。
【請求項４４】
請求の範囲４３に記載の装置において、第３ディジタル情報信号を前記トラックの第１トラック部分に記録するために、前記入力手段が前記第３ディジタル情報信号を受けるのにさらに適合し、前記第２符号化手段が前記第３ディジタル情報信号を符号化してその符号化第３ディジタル情報信号を前記情報パケットのシリアルデータストリームに含めるのにさらに適合し、前記シリアルデータストリームがさらに前記第３ディジタル情報信号の情報の部分を具える第３パケットを具え、前記シリアルデータストリームに含まれるパケットから成るプログラム情報が前記第１および第３パケットが互いに関係することを示し、該装置がさらに前記再生ステップにおいて前記第１トラック部分から前記第１および第３ディジタル情報信号を再生するのに適合することを特徴とする装置。
【請求項４５】
請求の範囲４４に記載の装置において、前記第３ディジタル情報信号をディジタルオーディオ信号としたことを特徴とする装置。
【請求項４６】
記録ステップにおいて、ディジタルビデオ信号および対応するディジタルオーディオ信号を記録キャリヤにおける第１トラック部分に記録し、前記ディジタルビデオ信号およびディジタルオーディオ信号が情報パケットのシリアルデータストリームに含まれ、前記シリアルデータストリームが前記ディジタルビデオ信号の情報の部分を具える第１パケットと前記ディジタルオーディオ信号の情報の部分を具える第２パケットとを具えると共にパケットから成るプログラム情報を具え、前記パケットから成るプログラムに含まれるプログラム情報が前記第１パケットおよび第２パケットが互いに関係することを示し、
−  前記情報パケットのシリアルデータストリームを受ける入力手段と、
−  第１チャネル信号を得るために前記情報パケットのシリアルデータストリームをチャネル符号化するチャネル符号化手段と、
−  前記第１チャネル信号を前記トラックの第１トラック部分に書き込む少なくとも１つの書き込みヘッドを具える書き込み手段とを具え、
再生ステップにおいて、前記ディジタルビデオ信号およびディジタルオーディオ信号を前記第１トラック部分から再生するのにさらに適合し、さらに、
−  前記第１チャネル信号を前記トラックの第１トラック部分から読み出す少なくとも１つの読み出しヘッドを具える読み出し手段と、
−  前記情報パケットのシリアルデータストリームの複製を得るために前記第１チャネル信号をチャネル復号化するチャネル復号化手段と、
−  前記パケットを具えるシリアルデータストリームを使用して、前記ディジタルビデオ信号の複製を得るために前記第１パケットを復号化し、前記ディジタルオーディオ信号の複製を得るために前記第２パケットを復号化する第１復号化手段と、
−  前記ディジタルビデオ信号およびディジタルオーディオ信号の複製を供給する出力手段とを具える装置において、
前記パケットから成るプログラム情報を変換パケットに変換する変換手段を設け、
（ａ）記録ステップ中、前記変換手段が、前記パケットから成るプログラム情報を、前記第１パケットと少なくとも第２パケットとが互いに関係し、未知の形式の第３ディジタル情報信号の情報の部分を具える第３パケットがあるかもしれないことを示すプログラム情報を含む変換パケットに変換するのに適合し、
（ｂ）該装置が、その後の編集モードにおいて、第３ディジタル情報信号を前記トラックの第２トラック部分に記録するのにさらに適合し、前記入力手段が前記第３ディジタル情報信号を受けるのにさらに適合し、前記第３ディジタル情報信号が前記第３パケットとパケットから成る第２プログラム情報との第２シリアルデータストリームに含まれ、前記第３パケットが前記第３ディジタル情報信号の情報の部分と前記第３ディジタル情報信号の形式を示す情報を具えるパケットから成る第２プログラム情報とを具え、前記チャネル符号化手段が第２チャネル信号を得るために前記第２シリアルデータストリームをチャネル符号化するのにさらに適合し、前記書き込み手段が前記第２チャネル信号を前記トラックの第２トラック部分に書き込むのにさらに適合し、
（ｃ）前記再生ステップにおいて、該装置が、前記読み出し手段を使用して、前記ディジタルビデオ信号および第１ディジタルオーディオ信号を前記第１トラック部分から再生し、前記第３ディジタル情報信号を前記第２トラック部分から再生するのにさらに適合することを特徴とする装置。
【請求項４７】
請求の範囲４６に記載の装置において、前記記録ステップにおいて、前記符号化手段が前記第３パケットのシリアルデータストリームを発生するのにさらに適合し、前記第３パケットがゼロ振幅のディジタルオーディオ信号に対応する情報の部分を具え、前記チャネル符号化手段が前記第１および第２チャネル信号を得るために前記第１および第２シリアルデータストリームをチャネル符号化するのにさらに適合し、前記書き込み手段が前記第１および第２チャネル信号を前記トラックの第１および第２トラック部分に各々書き込むのにさらに適合することを特徴とする装置。
【請求項４８】
請求の範囲３９に記載の装置において、情報を前記記録キャリヤに記録して前記記録キャリヤの長手方向に延在する情報トラックを生成するために、前記第１格納領域を前記記録キャリヤにおける多数の少なくとも１つの第１トラックの形態とし、前記第２格納領域を前記記録キャリヤにおける多数の少なくとも１つの第２トラックの形態としたことを特徴とする装置。
【請求項４９】
請求の範囲１ないし４８のいずれか１つに記載の装置において、格納／記録および後の編集ステップを行う方法。
【発明の詳細な説明】
本発明は、第１記録ステップにおいて、第１ディジタル情報信号を格納媒体の第１格納領域に格納し、
−  前記第１ディジタル情報信号を受ける入力手段と、
−  情報パケットのシリアルデータストリームを得るために前記第１ディジタル情報信号を符号化する第１符号化手段であって、前記シリアルデータストリームが前記第１ディジタル情報信号の情報の部分を具える第１パケットを具え、該第１符号化手段が、前記第１パケットおよび他のパケットが互いに関係することを示すプログラム情報を構成するパケットを発生するのにも適合し、前記パケットから成るプログラム情報を前記シリアルデータストリームに含める、第１符号化手段と、
−  第１チャネル信号を得るために前記情報パケットのシリアルデータストリームをチャネル符号化する第２符号化手段と、
−  前記第１チャネル信号を前記格納媒体の第１格納領域に格納する格納手段とを具え、第１再生ステップにおける前記第１ディジタル情報信号の前記第１格納領域からの再生にさらに適合し、さらに、
−  前記第１チャネル信号を前記第１格納領域から検索する検索手段と、
−  前記情報パケットのシリアルデータストリームの複製を得るために前記第１チャネル信号をチャネル復号化するチャネル復号化手段とを具える装置に関係する。
本発明は、記録およびその後の編集ステップを行う方法にも関係する。さらに特に、本発明は、ディジタルビデオ信号および対応するディジタルオーディオ信号を記録キャリヤにおける第１トラック部分に記録し、
−  前記ディジタルビデオ信号およびディジタルオーディオ信号を受ける入力手段と、
−  情報パケットのシリアルデータストリームを得るために前記ディジタルビデオ信号およびディジタルオーディオ信号を符号化する第１符号化手段であって、前記シリアルデータストリームが前記ディジタルビデオ信号の情報の部分を具える第１パケットと前記ディジタルオーディオ信号の情報の部分を具える第２パケットとを具え、該第１符号化手段が、前記第１パケットおよび第２パケットが互いに関係することを示すプログラム情報を構成するパケットを発生するのにさらに適合し、前記パケットから成るプログラム情報を前記シリアルデータストリーム中に含める、第１符号化手段と、
−  第１チャネル信号を得るために前記情報パケットのシリアルデータストリームをチャネル符号化する第２符号化手段と、
−  少なくとも１つの書き込みヘッドを具え、前記第１チャネル信号を前記トラックの第１トラック部分に書き込む書き込み手段とを具え、再生ステップにおいて前記ディジタルビデオ信号および対応するディジタルオーディオ信号を前記第１トラック部分から再生するのにさらに適合し、さらに、
−  少なくとも１つの読み出しヘッドを具え、前記第１チャネル信号を前記トラックの第１トラック部分から読み出す読み出し手段と、
−  前記情報パケットのシリアルデータストリームの複製を得るために前記第１チャネル信号をチャネル復号化するチャネル復号化手段と、
−  前記パケットから成るプログラム情報を使用して、前記ディジタルビデオ信号の複製を得るために前記第１パケットを復号化し、前記ディジタルオーディオ信号の複製を得るために前記第２パケットを復号化する第１復号化手段と、
−  前記ディジタルビデオ信号およびディジタルオーディオ信号の複製を供給する出力手段とを具えるヘリカルスキャン形式の装置にも関係する。
ディジタルビデオ信号を記録および／または再生する装置は、本明細書の末尾においてみることができる関連文書のリストにおける文書Ｄ１である欧州特許出願公開明細書第４９２７０４号から既知である。前記ディジタルビデオ信号は、前記トラックにおける第１トラック部分に記録するのに好適な信号を得るために、圧縮され、チャネル符号化されたデータである。前記ディジタルビデオ信号において行われるデータ圧縮技術は、前記ディジタルビデオ信号をＭＰＥＧ符号化ディジタル情報信号に符号化することができる。
前記ＭＰＥＧ符号化情報信号は、受けたＭＰＥＧトランスポートストリームのシリアルデータストリームにおいて不規則に生じるかもしれないトランスポートパケットを具える。関連文書リストにおける文書Ｄ２である１９９４年１１月１３日付のISO/IEC 13.818国際標準パート１'システム'は、放送を目的とした、またはケーブルネットワークを介した伝送のための、データ圧縮ディジタルビデオ信号および対応するデータ圧縮ディジタルオーディオ信号を含んでもよいＭＰＥＧ情報信号を伝送するトランスポートシステムの説明を具える。前記ＭＰＥＧ情報信号は、各々が１８８バイトの情報を具えるトランスポートパケットの形態におけるものである。
前記ＭＰＥＧシリアルデータストリームにおけるパケットは、'システム情報'は別として、ある種類の情報、すなわち、ビデオ情報の部分か、オーディオ信号の部分か、データ信号の部分かを具える。複数のビデオ信号および／または複数のオーディオ信号および／または複数のデータ信号を、ＭＰＥＧシリアルデータストリームにおけるトランスポートパケットによって伝送してもよい。あるパケットは、前記ＭＰＥＧシリアルデータストリームによって伝送されるビデオ信号の１つか、オーディオ信号の１つか、データ信号の１つかのみを具える。他のパケットは、どのパケットが全く同一のビデオまたはオーディオ信号に関係するかについての情報と、互いに関係し、いわゆる'プログラム'を形成するビデオおよびオーディオ信号を示す情報とを具えるシリアルデータストリームにおいて存在する。
記録キャリヤにおける記録および記録キャリヤからの再生の形態におけるこのようなＭＰＥＧ情報信号の伝送は、この種の伝送を実現するために取るべき特別な手段を必要とする。
先願の、前記関連文書のリストにおける文書（Ｄ３）である１９９４年４月８日に出願された米国特許出願０８／２２５，１９３号明細書と、前記関連文書のリストにおける文書（Ｄ４）である１９９４年６月３日に出願された米国特許出願０８／２５３，５３５号明細書とは、ＭＰＥＧ情報信号の記録および再生を実現する種々のこのような手段を記載している。
一般的に、ＭＰＥＧ情報信号の高すぎるデータレートのため、完全なＭＰＥＧ情報信号の記録は十分にはできないと言われている。
ここで、ＭＰＥＧシリアルデータストリームに含まれる１つのビデオ信号およびその対応するオーディオ信号を、記録するために選択する。結果として、一般に、トランスポートパケットは、時間の関数として不規則に選択される。選択された順次のパケット間のタイミング関係を保存するために、前記パケットを記録および再生した後、前記先願文書は、タイミング情報（または'タイムスタンプ'）を前記記録されたパケットの各々に挿入する手段を開示している。再生時に、前記順次のパケット間の関係を、前記タイムスタンプを使用して回復することができる。このようにして得られたパケットを、チャネル符号化ステップを受けさせた後、前記第１トラック部分に記録する。
本発明は、追加のオーディオ信号のような追加の情報信号を、前記記録媒体の第１格納領域、すなわち、長手記録キャリヤの場合において、例えば、前記トラックの第１トラック部分に記録されたディジタル情報信号に追加できるようにするために、編集モードを行うことができる装置を提供することを目的とする。
序章において規定したような装置は、
（ａ）記録ステップ中、前記第１符号化手段が前記第１パケットと少なくとも第２パケットとが互いに関係することを示すパケットから成るプログラム情報を発生するのに適合し、
（ｂ）該装置がその後の編集モードにおいて第２ディジタル情報信号を前記格納媒体の第２格納領域に記録するのにさらに適合し、前記入力手段が前記第２ディジタル情報信号を受けるのにさらに適合し、前記第１符号化手段が前記第２パケットを具える第２シリアルデータストリームを得るために前記第２ディジタル情報信号を符号化するのにさらに適合し、前記第２パケットが前記第２ディジタル情報信号の情報の部分を具え、前記第２符号化手段が第２チャネル信号を得るために前記第２シリアルデータストリームをチャネル符号化するのにさらに適合し、前記書き込み手段が前記第２チャネル信号を前記格納媒体の第２格納領域に書き込むのにさらに適合し、
（ｃ）前記再生ステップにおいて、該装置が、前記読み出し手段を使用して、前記第１ディジタル情報信号および／または第２ディジタル情報信号を前記第１格納領域および第２格納領域から各々再生するのに適合することを特徴とする。
さらに特に、前記ヘリカルスキャン形式の装置は、
（ａ）記録ステップ中、前記第１符号化手段が前記第１パケットおよび第２パケットと少なくとも第３パケットとが互いに関係することを示すパケットから成るプログラム情報を発生するのに適合し、
（ｂ）該装置がその後の編集モードにおいて第２ディジタルオーディオ信号を前記トラックの第２トラック部分に記録するのにさらに適合し、前記入力手段が前記第２ディジタルオーディオ信号を受けるのにさらに適合し、前記第１符号化手段が前記第３パケットの第２シリアルデータストリームを得るために前記第２ディジタルオーディオ信号を符号化するのにさらに適合し、前記第３パケットが前記第２ディジタルオーディオ信号の情報の部分を具え、前記第２符号化手段が第２チャネル信号を得るために前記第２シリアルデータストリームをチャネル符号化するのにさらに適合し、前記書き込み手段が前記第２チャネル信号を前記トラックの第２トラック部分に書き込むのにさらに適合し、
（ｃ）前記再生ステップにおいて、該装置が、前記読み出し手段を使用して、前記ディジタルビデオ信号および第１ディジタルオーディオ信号を前記第１トラック部分から再生し、前記ディジタルビデオ信号および第２ディジタルオーディオ信号を前記第１および第２トラック部分から各々再生するのに適合することを特徴とする。
本発明は、以下の認識を基礎としている。通常の記録モードにおいて、ビデオ信号および対応するオーディオ信号を記録キャリヤに記録する場合、前記オーディオ信号およびビデオ信号の符号化は、前記ビデオ信号の情報の部分を具える第１パケットを発生し、前記対応するオーディオ信号の情報の部分を具える第２パケットを発生するようなことである。さらに、すでに挿入されたプログラム情報を構成するパケットを発生する。このプログラム情報は、前記シリアルデータストリームがあるビデオ信号に対応する第１パケットとあるオーディオ信号に対応する第２パケットとを具え、前記第１パケットに含まれるビデオ信号と前記第２パケットに含まれるオーディオ信号とが互いに関係することを示す。パケットから成るこれらのプログラム情報を、前記シリアルデータストリームにも含め、前記トラックの第１トラック部分において順次記録する。
ここで、前記プログラム情報を使用して、前記ビデオ信号および対応するオーディオ信号の再生が可能である。
後の編集ステップを可能にするために、前記トラックにおいて第２トラック部分を利用できる。この編集ステップにおいて、少なくとも１つの追加オーディオ信号を前記装置に供給し、前記エンコーダにおいて符号化し、この少なくとも第２のオーディオ信号の情報の部分を具える（第３）パケットを発生することができる。チャネル符号化後、前記第１トラックにおける情報は変化せず、これらの第３パケットを前記第２トラック部分に記録する。
前記第１および第２トラック部分の双方からの情報の再生は、前記第１、第２、少なくとも第３パケットと、パケットから成るプログラム情報とのすべてを含むシリアルデータストリームを生じる。前記デコーダは、このシリアルデータストリームを受け、前記パケットから成るプログラム情報に含まれるプログラム情報から、前記第１および第２パケットがビデオ信号およびオーディオ信号を各々具える前記シリアルデータストリームに含まれることと、これらのビデオおよびオーディオ信号が互いに関係する（あるプログラムを形成する）こととを認識する。このように、前記デコーダは、前記第３パケットを認識しない。したがって、前記第３パケットを復号化することはできず、前記追加オーディオ信号の再生と共に前記ビデオ信号をＴＶ画面上に表示することはできない。
本発明によれば、前記最初の記録ステップにおいて前記ビデオ信号および元オーディオ信号を前記第１トラック部分に記録し、前記第１パケットおよび第２パケットと少なくとも第３パケットとが互いに関係することを示すパケットから成るプログラム情報を発生する。このようにして発生された前記パケットから成るプログラム情報を、前記第１トラック部分に、前記第１および第２パケットと共に記録する。再生時に、前記第１トラック部分に記録された情報を読み出す。前記第２トラック部分は、情報をまったく具えなくてもよい。前記パケットから成るプログラム情報を、前記シリアルデータストリームから検索し、ここで、前記デコーダは、前記第１、第２および第３パケットに含まれる情報が互いに関係することを認識する。前記デコーダは、前記シリアルデータストリームに含まれる第１および第２パケットを復号化する。第３パケットは、前記シリアルデータストリーム中には存在しない。しかしながら、前記デコーダは、前記第１および第２パケットを復号化し、前記ディジタルビデオ信号および元ディジタルオーディオ信号を本装置の出力部に供給することができる。
前記編集モードの動作において、前記追加オーディオ信号を、前記トラックの第２トラック部分に前記第３パケットの形態において記録する。その後に再生を行う場合、前記情報のシリアルデータストリームを、ここでは第１、第２および第３パケットを具えるトラックから読み出す。前記シリアルデータストリームから検索されたパケットから成るプログラム情報に含まれるプログラム情報から、前記デコーダは、再び、前記第１、第２および第３パケットに含まれる情報が互いに関係することを認識する。ここで、前記デコーダは、前記ディジタルビデオ信号と元および追加ディジタルオーディオ信号とを再生するために、３種類のパケットすべてを復号化することができる。選択信号の受け取りによって、前記２つのディジタルオーディオ信号の一方を選択し、前記出力部に前記ディジタルビデオ信号と共に供給することができる。
他の実施例において、前記デコーダに供給される選択信号に応じて、前記デコーダは、前記第１パケットと前記第２または第３パケットの一方とを復号化し、前記ディジタルビデオ信号と前記元および追加ディジタルオーディオ信号の一方とを該装置の出力部に供給する。この状況において、本装置は、前記ディジタルビデオ信号を前記元オーディオ信号と共に再生することができ、前記ディジタルビデオ信号を、動作の編集モードにおいて後に記録された前記追加ディジタルオーディオ信号と共に再生することができる。
すでに上述したように、本装置は、前記元記録ステップ中、前記第２トラック部分へのどのような情報の記録も抑制することができる。前記後の編集ステップにおいて、前記第２トラック部分は、前記第３パケットによって満たされる。代わりに、前記装置におけるエンコーダは、追加のディジタルオーディオ信号が該装置に供給されないという事実にもかかわらず、前記元記録ステップ中、第３パケットを発生することができる。これは、ここで前記第２トラック部分に記録された第３パケットがオーディオ情報を具えず、すなわち、ゼロの振幅を有するオーディオ信号に対応する情報を具えることを意味する。
本発明の他の実施例において、記録ステップにおいてディジタルビデオ信号および対応するディジタルオーディオ信号を記録キャリヤにおける第１トラック部分に記録し、前記ディジタルビデオ信号およびディジタルオーディオ信号が情報パケットのシリアルデータストリームに含まれ、前記シリアルデータストリームが前記ディジタルビデオ信号の情報の部分を具える第１パケットと前記ディジタルオーディオ信号の情報の部分を具える第２パケットとを具えると共に、パケットから成るプログラム情報を具え、前記パケットから成るプログラムに含まれるプログラム情報が前記第１パケットおよび第２パケットが互いに関係することを示し、
−  前記情報パケットのシリアルデータストリームを受ける入力手段と、
−  第１チャネル信号を得るために、前記情報パケットのシリアルデータストリームをチャネル符号化するチャネル符号化手段と、
−  前記第１チャネル信号を前記トラックの第１トラック部分に書き込む、少なくとも１つの書き込みヘッドを具える書き込み手段とを具え、再生ステップにおいて、前記ディジタルビデオ信号およびディジタルオーディオ信号を前記第１トラック部分から再生するのにさらに適合し、さらに、
−  前記第１チャネル信号を前記トラックの第１トラック部分から読み出す、少なくとも１つの読み出しヘッドを具える読み出し手段と、
−  前記情報パケヅトのシリアルデータストリームの複製を得るために前記第１チャネル信号をチャネル復号化するチャネル復号化手段と、
−  前記パケットを具えるシリアルデータストリームを使用して、前記ディジタルビデオ信号の複製を得るために前記第１パケットを復号化し、前記ディジタルオーディオ信号の複製を得るために前記第２パケットを復号化する第１復号化手段と、
−  前記ディジタルビデオ信号およびディジタルオーディオ信号の複製を供給する出力手段とを具えるヘリカルスキャン形式の装置において、前記パケットから成るプログラム情報を変換パケットに変換する変換手段を設け、
（ａ）記録ステップ中、前記変換手段が、前記パケットから成るプログラム情報を、前記第１パケットと少なくとも第２パケットとが互いに関係することを示すプログラム情報を含む変換パケットに変換するのに適合し、
（ｂ）該装置が、その後の編集モードにおいて、第２ディジタルオーディオ信号を前記トラックの第２トラック部分に記録するのにさらに適合し、前記入力手段が前記第２ディジタルオーディオ信号を受けるのにさらに適合し、第３パケットのシリアルデータストリームを得るために前記第２ディジタルオーディオ信号を符号化する符号化手段を設け、前記第３パケットが前記第２ディジタルオーディオ信号の情報の部分を具え、前記チャネル符号化手段が第２チャネル信号を得るために前記第２シリアルデータストリームをチャネル符号化するのにさらに適合し、前記書き込み手段が前記第２チャネル信号を前記トラックの第２トラック部分に書き込むのにさらに適合し、
（ｃ）前記再生ステップにおいて、該装置が、前記読み出し手段を使用して、前記ディジタルビデオ信号および第１ディジタルオーディオ信号を前記第１トラック部分から再生し、前記ディジタルビデオ信号および第２ディジタルオーディオ信号を前記第１および第２トラック部分から各々再生するのにさらに適合することを特徴とする。
前記記録装置は、前記元記録ステップ中、すでにＭＰＥＧ符号化された前記ディジタルビデオ信号および元ディジタルオーディオ信号を含む放送信号を受けることができる。すなわち、前記第１および第２パケットのシリアルデータストリームを受け、前記シリアルデータストリームは、パケットから成るプログラム情報も含む。このパケットから成るプログラム情報に含まれるプログラム情報は、前記シリアルデータストリームが、前記１つのビデオ信号に対応する第１パケットと前記１つのオーディオ信号に対応する第２パケットとを具え、前記第１パケットに含まれるビデオ信号と前記第２パケットに含まれるオーディオ信号とが互いに関係することを示す。前記シリアルデータストリームをチャネル符号化する前に、パケットから成るこれらのプログラム情報を変換パケットに変換する。この変換されたパケットから成るプログラム情報に含まれるプログラム情報は、前記シリアルデータストリームが前記１つのビデオ信号に対応する第１パケットと前記１つのオーディオ信号に対応する第２パケットと追加オーディオ信号に対応する第３パケットとを具え、前記第１パケットに含まれるビデオ信号と前記第２パケットに含まれるオーディオ信号と前記第３パケットに含まれる追加オーディオ信号とが互いに関係することを示す。前記変換パケットを前記パケットから成る元プログラム情報の代わりに前記シリアルデータストリームに挿入し、次にこの変換シリアルデータストリームを、チャネル符号化すると共に前記トラックの第１トラック部分に記録する。
本発明は、これまで説明したところでは、前記情報を前記キャリヤにおける斜めトラックにおいて記録するヘリカルスキャン形式の装置に終始した。しかしながら、本発明を、情報を長手記録キャリヤにおいて長さ方向に延びるトラックに記録する装置にも等しく良好に用いることができることに注意されたい。このような状況において、１つまたはそれ以上の第１トラックを前記第１ディジタル情報信号（ディジタルビデオ信号）を記録するのに使用でき、１つまたはそれ以上の第２トラックを前記第２情報信号（追加オーディオ信号）を記録するのに使用できる。さらに、本発明を、ハードディスクまたは他の形式のランダムアクセスメモリのような格納媒体において情報を格納するのにも用いることができる。
本発明の他の実施例において、第１記録ステップにおいて第１ディジタル情報信号を格納媒体の第１格納領域に記録し、
−  前記第１ディジタル情報信号を受ける入力手段と、
−  情報パケットのシリアルデータストリームを得るために、前記第１ディジタル情報信号を符号化する第１符号化手段であって、前記シリアルデータストリームが前記第１ディジタル情報信号の情報の部分を具える第１パケットを具え、該第１符号化手段がパケットから成る第１プログラム情報を発生するのにさらに適合し、前記パケットから成る第１プログラム情報が前記シリアルデータストリームに含まれる、該第１符号化手段と、
−  第１チャネル信号を得るために前記情報パケットのシリアルデータストリームをチャネル符号化する第２符号化手段と、
−  前記第１チャネル信号を前記格納媒体の第１格納領域に格納する格納手段とを具え、第１再生ステップにおいて前記第１ディジタル情報信号を前記第１格納領域から再生するのにさらに適合し、
−  前記第１チャネル信号を前記第１格納領域から検索する検索手段と、
−  前記情報パケットのシリアルデータストリームの複製を得るために前記第１チャネル信号をチャネル復号化するチャネル復号化手段とを具える装置において、
（ａ）記録ステップ中、前記第１符号化手段が、未知の形式の第２ディジタル情報信号の情報の部分を具える第２パケットがあるかもしれないことを示す、パケットから成る第１プログラム情報を発生するのに適合し、
（ｂ）該装置が、その後の編集モードにおいて、第２ディジタル情報信号を前記格納媒体の第２格納領域に記録するのにさらに適合し、前記第２ディジタル情報信号が第２パケットとパケットから成る第２プログラム情報とを具える第２シリアルデータストリームに含まれ、前記第２パケットが前記第２ディジタル情報信号の情報の部分を具え、前記パケットから成る第２プログラム情報が前記第２ディジタル情報信号の形式を示す情報を具え、前記第２符号化手段が第２チャネル信号を得るために前記第２シリアルデータストリームをチャネル符号化するのにさらに適合し、前記書き込み手段が前記第２チャネル信号を前記格納媒体の第２格納領域に書き込むのにさらに適合し、
（ｃ）前記再生ステップにおいて、該装置が、前記読み出し手段を使用して、前記第１ディジタル情報信号および／または第２ディジタル情報信号を前記第１格納領域および／または第２格納領域から再生するのにさらに適合することを特徴とする。この状況において、前記パケットから成る第１プログラム情報に含まれるプログラム情報は、追加（第２）情報信号があるかもしれないが、信号の形式（ビデオ、オーディオ、データまたはその他）は、まだ分からないことを示す。
これは、パケットから成る第２プログラム情報の発生を必要とし、この第２プログラム情報を前記第２シリアルデータストリームに挿入する。ここで、前記パケットから成る第２プログラム情報に含まれる情報は、前記第２情報信号の形式を示し、前記第２情報信号が前記第１ディジタル情報信号とプログラムを形成するかどうかを示してもよい。
同様に、第１記録ステップにおいて第１ディジタル情報信号を格納媒体の第１格納領域に格納し、前記第１ディジタル情報信号が情報パケットのシリアルデータストリームに含まれ、前記シリアルデータストリームが、前記第１ディジタル情報信号の情報の部分を具える第１パケットを具えると共に、パケットから成るプログラム情報を具え、前記パケットから成るプログラム情報に含まれるプログラム情報が、前記シリアルデータストリームが前記第１ディジタル情報信号の第１パケットを具えることを示し、
−  前記パケットのシリアルデータストリームを受ける入力手段と、
−  第１チャネル信号を得るために前記パケットのシリアルデータストリームをチャネル符号化するチャネル符号化手段と、
−  前記第１チャネル信号を前記格納媒体の第１格納領域に格納する格納手段とを具え、再生ステップにおいて前記第１ディジタル情報信号を前記第１格納領域から再生するのにさらに適合し、さらに、
−  前記第１チャネル信号を前記第１格納領域から検索する検索手段と、
−  前記パケットのシリアルデータストリームの複製を得るために前記第１チャネル信号をチャネル復号化するチャネル復号化手段とを具える装置において、前記パケットから成るプログラム情報を変換パケットに変換する変換手段を設け、
（ａ）記録ステップ中、前記変換手段が、前記パケットから成るプログラム情報を、まだ既知でない形式の第２ディジタル情報信号の情報の部分を具える第２パケットがあるかもしれないことを示すプログラム情報を具える変換パケットに変換するのに適合し、
（ｂ）該装置が、その後の編集モードにおいて、第２ディジタル情報信号を前記格納媒体の第２格納領域に記録するのにさらに適合し、前記第２ディジタル情報信号が、第２パケットとパケットから成る第２プログラム情報とを具える第２シリアルデータストリームに含まれ、前記第２パケットが前記第２ディジタル情報信号の情報の部分を具え、前記パケットから成る第２プログラム情報が前記第２ディジタル情報信号の形式を示す情報を具え、前記チャネル符号化手段が第２チャネル信号を得るために前記第２シリアルデータストリームをチャネル符号化するのにさらに適合し、前記書き込み手段が前記第２チャネル信号を前記格納媒体の第２格納領域に書き込むのにさらに適合し、
（ｃ）前記再生ステップにおいて、該装置が、前記読み出し手段を使用して、前記第１ディジタル情報信号および／または第２ディジタル情報信号を前記第１格納領域および／または第２格納領域から再生するのにさらに適合することを特徴とする。
本発明のこれらのおよび他の態様は、以下の図の説明において記載の実施例の参照と共に明らかになるであろう。
図１は、ＭＰＥＧ符号化ディジタルビデオ信号および対応するディジタルオーディオ信号のシリアルデータストリームを図式的に示す。前記シリアルデータストリームは、情報のパケットを具える。前記パケットは、各々１８８バイトの情報を具える。各々のパケットは、ヘッダおよびデータ領域を具える。あるパケットは、１種類の信号の情報を具える。前記パケットのヘッダにおいてパケット識別番号（ＰＩＤ）を含み、パケットに含まれる情報の種類を識別する。同じＰＩＤを有するパケットは、同じ情報ストリームを具える。前記シリアルデータストリームは、これらに格納されたディジタルビデオ信号の情報のバイトを有する第１パケットＰ1を具え、これらに格納されたオーディオ信号の情報のバイトを有する第２パケットＰ2を具える。さらに、パケットＰ0を前記シリアルデータストリームに含める。パケットＰ0は、プログラム情報を具える。パケットＰ0に含まれるプログラム情報は、第１パケットＰ1を具える第１情報ストリームをビデオ情報ストリームとして識別し、第２パケットＰ2を具える第２情報ストリームをオーディオ情報ストリームとして識別する。さらに、前記プログラム情報は、前記第１および第２情報ストリームが互いに関係し、いわゆる′プログラム′を形成することを示す。
図１におけるパケットを、等しい時間間隔を有するように示した。これは、必須ではない。さらに、前記パケットを、連続するシリアルデータストリームを形成するものとして示した。これも実際には必須ではない。前記パケットは、前記シリアルデータストリームにおいて、時間の関数として不規則に現れてもよい。
図１に示すシリアルデータストリームを、第１記録ステップにおいて、記録装置によって、記録キャリヤにおいて記録するとする。図２は、このような記録装置の実施例を図式的に示し、図３は、記録キャリヤ２０において記録された斜めトラックＴを図式的に示す。記録キャリヤ２０を磁性体側からみる。すなわち、ヘッドドラムに接触する記録キャリヤ側からみる。説明を簡単にするために、記録キャリヤ２０の長手方向と比較した前記トラックの傾斜を誇張する。トラックは、第１トラック部分ＴＰ１および第２トラック部分ＴＰ２を具える。図１に示すシリアルデータストリームを、前記第１トラック部分に記録する。矢印ｖrは、記録キャリヤ２０の輸送方向を示す。書き込みヘッドＷＨは、チャネル符号化情報をトラックＴに書き込むためにある。矢印ｖhは、書き込みヘッドＷＨの輸送方向を示す。第２トラック部分ＴＰ２は、後の編集ステップにおいて追加オーディオ信号を記録するためにある。前記装置は、図１に示すシリアルデータストリームを受ける入力端子を有する。前記シリアルデータストリームを、アンテナ１２を経てＭＰＥＧ符号化放送信号を受けるチューナ１０から得てもよい。セレクタ１４は、前記ディジタルビデオ信号およびディジタルオーディオ信号を具えるパケットを選択してもよく、パケットＰ0を発生してもよく、図１に示すシリアルデータストリームを入力端子２５に供給する。前記装置は、図１のシリアルデータストリームからパケットＰ0を受け、パケットＰ0を出力部２９に供給するマルチプレクサ２７を具える。パケットＰ1およびＰ2のデータストリームを、出力部３１に供給する。出力部２９を変換器ユニット３３に結合し、変換器ユニット３３の出力部３５を信号結合ユニット３９の入力部３７に結合する。マルチプレクサ２７の出力部３１を、結合ユニット３９の入力部４１に結合する。結合ユニット３９の出力部４３を、スイッチＳ1のａ端子に結合する。スイッチＳ1のｂ端子を、チャネル符号化ユニット４７の入力部４５に結合し、チャネル符号化ユニット４７の出力部を、書き込みユニット５３の入力図５１に結合する。本実施例において、書き込みユニット５３は、回転ヘッドドラム５５上に位置する少なくとも１つの書き込みヘッドＷＨを具える（好適には、前記ヘッドドラムの周囲に１８０°において位置する２つの読み出しヘッドが利用できる）。記録キャリヤ２０は、ヘッドドラム５５の周囲に、ある巻き付き角で巻き付く。前記巻き付き角は、多くの場合において、１８０°より僅かに大きい。
図２の記録装置は、元記録ステップにおいて、以下のように機能する。スイッチＳ1を、その位置ａ−ｂに設定する。図１のシリアルデータストリームをマルチプレクサ２７に供給し、パケットＰ1およびＰ2を、出力部３１を経て結合ユニット３９の入力部４１に供給する。パケットＰ0を、出力部２９を経て変換器ユニット３３に供給する。変換器ユニット３３は、パケットＰ0を変換パケットＰ0′に変換し、その出力部３５を経て結合ユニット３９の入力部２７に供給する。
結合ユニット３９は、変換パケットＰ0′をパケットＰ0の代わりに前記シリアルデータストリームに挿入する。このシリアルデータストリームを、当業者においては周知の方法において第１チャネル信号にチャネル符号化し、この第１チャネル信号を記録キャリヤ２０の第１トラック部分ＴＰ1に記録する。
変換器ユニット３３は、パケットＰ0′で構成される変換プログラム情報に含まれるプログラム情報が、出力部４３に供給されるシリアルデータストリームが１つのビデオ信号に対応する第１パケットと、１つのオーディオ信号に対応する第２パケットと、（まだ存在しないが）追加オーディオ信号に対応する第３パケットとを具えることと、前記第１パケットに含まれるビデオ信号と、第２パケットに含まれるオーディオ信号と、第３パケットに含まれる追加オーディオ信号とが互いに関係することとを示すようにパケットＰ0を変換する。実際に出力部４３に供給されるシリアルデータストリームは、どのような第３パケットも具えないが、かまわない。
パケットＰ0′、Ｐ1およびＰ2を、第１トラック部分ＴＰ1のみに記録するため、前記書き込みヘッドが第２トラック部分ＴＰ2を走査する時に記録が行われないように、前記第１チャネル信号のいくらかの時間圧縮が必要であることは明らかであろう。
図２の装置は、さらに、後の編集ステップ中に記録キャリヤ２０の第２トラック部分ＴＰ2に記録することができる追加オーディオ信号を受ける入力端子５９を具える。入力端子５９をＭＰＥＧオーディオエンコーダ６１の入力部に結合し、ＭＰＥＧオーディオエンコーダ６１の出力部をスイッチＳ1のｃ端子に結合する。
後の編集ステップにおいて、図２の装置は、図４の参照と共に説明するように機能する。図４は、図２に示す要素に加え、記録キャリヤ２０に記録された情報の再生を可能にするのに必要なこれらの要素を示す。書き込みユニット５３は、記録キャリヤ２０におけるトラックから情報を読み出す読み出しユニット５３′としても機能する。ユニット５３′は、ドラム５５において搭載された読み出しヘッドＲＨを具える。前記トラックから読み出された信号を、出力部６５を経てチャネル復号化ユニット６７に供給する。チャネルデコーダ６７の出力部６９を、ＭＰＥＧ復号化ユニット７３の入力部７１に結合する。ＭＰＥＧデコーダ７３は、ビデオ信号を出力端子７５に供給し、少なくとも１つのオーディオ信号を出力端子７７に供給する。
前記編集ステップにおいて、書き込みヘッドＷＨと同じであってもよい読み出しヘッドＲＨは、前記トラックの第１トラック部分に記録された第１チャネル信号を読み出す。前記第１チャネル信号を、チャネルデコーダ６７に供給してチャネル復号化し、第１および第２パケットＰ1およびＰ2と変換パケットＰ0′のシリアルデータストリームの複製を得る。このシリアルデータストリームを、デコーダ７３に供給する。変換パケットＰ0′に含まれるプログラム情報の作用の下で、デコーダ７３は、前記第１および第２パケットを前記ディジタルビデオ信号およびディジタルオーディオ信号の複製に復号化することができる。これらの信号を、端子７５および７７に各々供給することができる。前記ディジタルビデオ信号をＴＶ画面に供給し、人が見ることができるビデオ信号を生成してもよい。
追加オーディオ信号を入力端子５９に供給し、ＭＰＥＧオーディオエンコーダ６１において符号化する。端子９０に印加されるある制御信号の存在のため、ＭＰＥＧオーディオエンコーダ６１は、第３パケットＰ3のみを発生する必要があるため編集モードの動作を切り替えることを感知する。この結果、第３パケットＰ3のシーケンスが発生する。次に、当業者において周知のチャネル符号化ステップを前記ＭＰＥＧ符号化追加ディジタルオーディオ信号に行い、第２チャネル信号を得て、後に、前記トラックの第２トラック部分ＴＰ２に書き込みヘッドＷＨによって格納する。
後の通常再生モードにおいて、読み出しヘッドＲＨは、前記トラックの第１および第２トラック部分に記録された情報を読み出す。すなわち、前記第１トラック部分から第１チャネル信号を、前記第２トラック部分から第２チャネル信号を読み出す。デコーダ６７において、チャネル復号化ステップを前記第１および第チャネル信号に行う。これは、図５に示すようなシリアルデータストリームを生じる。
図５は、第１トラック部分ＴＰ1から読み出されたパケットのブロックと、第２トラック部分ＴＰ2から読み出されたパケットのブロックとを示す。前記第１トラック部分から読み出されたパケットのブロックは、第１および第２パケットＰ1およびＰ2の各々と、パケットＰ0′とを具える。前記第２トラック部分から読み出されたパケットのブロックは、第３パケットＰ3を具える。出力端子７５において、前記ディジタルビデオ信号が利用できる。出力端子７７において、前記元オーディオ信号または追加オーディオ信号のいずれか、または両方が利用できる。
図６は、本発明による装置の他の実施例を示す。本装置は、ディジタルビデオ信号を受ける入力端子８０と、ディジタルオーディオ信号を受ける入力端子８２とを具える。双方の信号をＭＰＥＧエンコーダ８４に供給する。双方の信号をエンコーダ８４においてＭＰＥＧ符号化し、パケットＰ0′、Ｐ1およびＰ2のシリアルデータストリームを得る。１つのディジタルビデオ信号と１つのディジタルオーディオ信号とを（したがって、追加オーディオ信号がない）端子８０および８２に供給したとしても、パケットＰ0′に含まれるプログラム情報が、出力部８６において供給されるシリアルデータストリームが前記１つのビデオ信号に対応する第１パケットと前記１つのオーディオ信号に対応する第２パケットと、（例えまだ存在しなくても）追加オーディオ信号に対応する第３パケットとを具え、前記第１パケットに含まれるビデオ信号と前記第２パケットに含まれるオーディオ信号と前記第３パケットに含まれる追加オーディオ信号とが互いに関係することとを示すように、パケットＰ0′をエンコーダ８４によって発生することが理解されるであろう。エンコーダ４７におけるチャネル符号化を、図２の参照と共にすでに説明したように行う。
後の編集モードにおいて、実際に図６の装置は、図４の参照と共に上述したように機能する。追加オーディオ信号を端子８２に供給し、ＭＰＥＧエンコーダ８４においてＭＰＥＧ符号化する。端子９０に印加されるある制御信号の存在のため、前記ＭＰＥＧエンコーダは、第３パケットＰ3のみを発生する必要があるため編集モードの動作を切り替えることを感知する。すでに説明したように、前記パケットをチャネル符号化し、第２トラック部分ＴＰ2に記録する。
上記において、元記録ステップ中、その時追加オーディオ信号を利用できないため、第３パケットを形成しないとした。しかしながら、図２または６の装置において記録する前に、これらの第３パケットを発生し、図５に示すようなシリアルシーケンスに配置することもできる。ここで、前記第３パケットは、振幅０のオーディオ信号を具えてもよい。
上記において、本発明を、ヘリカルスキャン形式の装置の参照と共に説明した。本発明を、前記情報の前記記録キャリヤの長手方向に延在するトラックへの記録中に用いることもできることは明らかであろう。図７は、情報が記録され、記録キャリヤ２０′の長手方向に延在するトラックを有する長手記録キャリヤ２０′の一部を示す。図２、４および６に開示したような装置に、ヘッド９２．１ないし９２．ｎを具える読み出し／書き込みユニット５３ａを設ける。ヘッド９２．１ないし９２．ｎは、情報を記録キャリヤ２０′に書き込み、トラックＴ1ないしＴnを得るのに適合する。前記符号化ディジタルビデオ信号と符号化第１ディジタルオーディオ信号とパケットから成るプログラム情報とを具える第１シリアルデータストリームをトラックＴ1ないしＴpに記録し、前記符号化第２ディジタルオーディオ信号を具えるシリアルデータストリームをトラックＴp+1ないしＴnに記録し、ここで、ｐ＜ｎかつｎを１より大きい整数とする。
他の実施例において、情報を、ハードディスクまたは他の種類のランダムアクセスメモリのような格納媒体に格納することができる。この状況において、前記格納媒体は、前記符号化ディジタルビデオ信号と符号化第１ディジタルオーディオ信号とパケットから成るプログラム情報とを具える第１シリアルデータストリームを格納する第１格納領域と、前記符号化第２ディジタルオーディオ信号を具える第２シリアルデータストリームを格納する第２格納領域とを有する。
図８は、第１および第２トラック部分（または、第１および第２格納領域）ＴＰ1およびＴＰ2に各々記録することができる種々の信号を図式的に示す。前記編集ステップがすでに行われた状況を仮定する。状況Ｉにおいて、前記第１トラック部分は、ディジタルビデオ信号のような第１ディジタル情報信号ｓ1の第１パケットＰ1と、パケット′ｐｉｃｐ′から成るプログラム情報とを具える。前記第２トラック部分は、ディジタルオーディオ信号のような第２ディジタル情報信号ｓ2の情報を具える第２パケットＰ2を具える。パケット′ｐｉｃｐ′から成るプログラム情報に含まれるプログラム情報は、第１ディジタル情報信号ｓ1がディジタルビデオ信号のようなある形式ｔ（ｓ1）の情報信号であり、第２ディジタル情報信号ｓ2がディジタルオーディオ信号のようなある形式ｔ（ｓ2）の情報信号であり、双方のディジタル情報信号ｓ1およびｓ2を具えるプログラムＡが存在することを示す。再生時に、前記デコーダは、前記ｐｉｃｐパケットから、２つの情報信号が存在するかもしれないことを知る。ユーザは、前記信号の一方の、または双方の再生を選択することができる。
状況IIにおいて、前記第１トラック部分は、第１ディジタル情報信号ｓ1の第１パケットＰ1と、パケット′ｐｉｃｐ′から成るプログラム情報とを具える。
前記第２トラック部分は、第２ディジタル情報信号ｓ2の情報を具える第２パケットＰ2を具える。パケット′ｐｉｃｐ′から成るプログラム情報に含まれるプログラム情報は、第１ディジタル情報信号ｓ1がディジタルビデオ信号のようなある形式ｔ（ｓ1）の情報信号であり、第２ディジタル情報信号ｓ2がディジタルオーディオ信号のようなある形式ｔ（ｓ2）の情報信号であり、第１ディジタル情報信号ｓ1を具えるプログラムＡが存在し、第１ディジタル情報信号ｓ2を具えるプログラムＢが存在することを示す。再生時に、前記デコーダは、前記ｐｉｃｐパケットから、２つの情報信号が存在するかもしれないことを知る。ユーザは、前記プログラムの一方を、したがって、前記２つの信号の一方の再生を選択することができる。
状況IIIにおいて、前記第１トラック部分は、第１ディジタル情報信号ｓ1の第１パケットＰ1と、パケット′ｐｉｃｐ′から成るプログラム情報とを具える。前記第２トラック部分は、第２ディジタル情報信号ｓ2の情報を具える第２パケットＰ2を具える。パケット′ｐｉｃｐ′から成るプログラム情報に含まれるプログラム情報は、第１ディジタル情報信号ｓ1がディジタルビデオ信号のようなある形式ｔ（ｓ1）の情報信号であり、第２ディジタル情報信号ｓ2がディジタルオーディオ信号のようなある形式ｔ（ｓ2）の情報信号であり、第１ディジタル情報信号ｓ1を具えるプログラムＡが存在し、第１および第２ディジタル情報信号ｓ1およびｓ2を具えるプログラムＢが存在することを示す。すなわち、プログラムＢにおいて、前記第１および第２ディジタル情報信号が互いに関係する。
再生時に、前記デコーダは、前記ｐｉｃｐパケットから、２つの情報信号が存在するかもしれないことを知る。ユーザは、前記プログラムの一方を選択することができる。プログラムＡを選択すると、信号ｓ1のみが再生される。プログラムＢを選択すると、双方の信号が再生される。
状況IVにおいて、前記第１トラック部分は、第１ディジタル情報信号ｓ1の第１パケットＰ1と、ディジタルオーディオ信号のような第２ディジタル情報信号ｓ2の第２パケットＰ2と、パケット′ｐｉｃｐ′から成るプログラム情報とを具える。前記第２トラック部分は、追加オーディオ信号のような第３ディジタル情報信号ｓ3の情報を具える第３パケットＰ3を具える。パケット′ｐｉｃｐ′から成るプログラム情報に含まれるプログラム情報は、第１ディジタル情報信号ｓ1がディジタルビデオ信号のようなある形式ｔ（ｓ1）の情報信号であり、第２ディジタル情報信号ｓ2がディジタルオーディオ信号のようなある形式ｔ（ｓ2）の情報信号であり、第３ディジタル情報信号ｓ3がある形式ｔ（ｓ3）の情報信号であり、前記第１、第２および第３ディジタル情報信号を具えるプログラムＡが存在し、これら３つのディジタル情報信号が互い関係することを示す。再生時に、前記デコーダは、前記ｐｉｃｐパケットから、３つの情報信号が存在するかもしれないことを知る。ユーザは、前記３つの信号の１つまたはそれ以上を選択することができる。さらに特に、ユーザは、信号ｓ1およびｓ2の同時の再生、または、信号ｓ1およびｓ3の同時の再生を選択することができる。
状況Vにおいて、前記第１トラック部分は、第１ディジタル情報信号ｓ1の第１パケットＰ1と、ディジタルオーディオ信号のような第２ディジタル情報信号ｓ2の第２パケットＰ2と、パケット′ｐｉｃｐ′から成るプログラム情報とを具える。前記第２トラック部分は、追加オーディオ信号のような第３ディジタル情報信号ｓ3の情報を具える第３パケットＰ3を具える。パケット′ｐｉｃｐ′から成るプログラム情報に含まれるプログラム情報は、第１ディジタル情報信号ｓ1がディジタルビデオ信号のようなある形式ｔ（ｓ1）の情報信号であり、第２ディジタル情報信号ｓ2がディジタルオーディオ信号のようなある形式ｔ（ｓ2）の情報信号であり、第３ディジタル情報信号ｓ3がある形式ｔ（ｓ3）の情報信号であり、第１および第２ディジタル情報信号を具えるプログラムＡが存在し、これら２つのディジタル情報信号が互いに関係し、第１および第３ディジタル情報信号を具えるプログラムＢが存在し、これら２つのディジタル情報信号が互いに関係することを示す。再生時に、前記デコーダは、前記ｐｉｃｐパケットから、３つの情報信号が存在するかもしれないことを知る。ユーザは、１つまたは２つの信号の再生を選択することができる。
状況VIにおいて、前記第１トラック部分は、第１ディジタル情報信号ｓ1の第１パケットＰ1と、ディジタルオーディオ信号のような第２ディジタル情報信号ｓ2の第２パケットＰ2と、パケット′ｐｉｃｐ′から成るプログラム情報とを具える。前記第２トラック部分は、追加オーディオ信号のような第３ディジタル情報信号ｓ3の情報を具える第３パケットＰ3を具える。パケット′ｐｉｃｐ′から成るプログラム情報に含まれるプログラム情報は、第１ディジタル情報信号ｓ1がディジタルビデオ信号のようなある形式ｔ（ｓ1）の情報信号であり、第２ディジタル情報信号ｓ2がディジタルオーディオ信号のようなある形式ｔ（ｓ2）の情報信号であり、第３ディジタル情報信号ｓ3がある形式ｔ（ｓ3）の情報信号であり、第１および第２ディジタル情報信号を具えるプログラムＡが存在し、これら２つのディジタル情報信号が互いに関係し、前記３つのディジタル情報信号を具えるプログラムＢが存在し、これら３つのディジタル情報信号が互いに関係することを示す。ユーザは、再生に関して、前記２つのプログラムの一方を選択することができる。
図９は本発明の他の実施例を示す。前記編集ステップがすでに行われた状況を再び仮定する。図８の参照と共に論じたのと同じ状況を論じる。状況Ｉにおいて、前記第１トラック部分は、ディジタルビデオ信号のような第１ディジタル情報信号ｓ1の第１パケットＰ1と、パケット′ｐｉｃｐ′から成る第１プログラム情報とを具える。前記第２トラック部分は、ディジタルオーディオ信号のような第２ディジタル情報信号ｓ2の情報を具える第２パケットＰ2と、パケット′ｐｉｃｐ2′から成る第２プログラム情報とを具える。パケット′ｐｉｃｐ1′から成るプログラム情報に含まれるプログラム情報は、第１ディジタル情報信号ｓ1がディジタルビデオ信号のようなある形式ｔ（ｓ1）の情報信号であり、未知の形式の第２ディジタル情報信号ｓ2が存在するかもしれず、双方のディジタル情報信号ｓ1およびｓ2を具えるプログラムＡが存在することを示す。前記第２ディジタル情報信号の形式は、まだ分からない。これは、未知の形式の信号を前記第２トラック部分に追加する可能性を提供する。前記デコーダが再生時に前記第２ディジタル情報信号を復号化できるようにするために、前記デコーダは、前記第２ディジタル情報信号の信号の形式を知る必要がある。したがって、前記編集モードにおける第２ディジタル情報の記録中、前記装置は、パケットｐｉｃｐ2から成る第２プログラム情報を発生することができる。このパケットｐｉｃｐ2も第２トラック部分ＴＰ2に格納（記録）され、前記第２ディジタル情報信号の情報の形式を示す。再生時に、前記デコーダは、パケットｐｉｃｐ2から、パケットＰ2がどのような形式の情報を具えるのかを知り、結果として、前記デコーダは、パケットＰ2を復号化することができる。ユーザは、前記信号の一方または双方の再生を選択することができる。
状況IIにおいて、前記第１トラック部分は、ディジタルビデオ信号のような第１ディジタル情報信号ｓ1の第１パケットＰ1と、パケット′ｐｉｃｐ1′から成る第１プログラム情報とを具える。前記第２トラック部分は、第２ディジタル情報信号ｓ2の情報を具える第２パケットＰ2と、パケット′ｐｉｃｐ2′から成る第２プログラム情報とを具える。パケット′ｐｉｃｐ1′から成る第１プログラム情報に含まれるプログラム情報は、第１ディジタル情報信号ｓ1がディジタルビデオ信号のようなある形式ｔ（ｓ1）の情報信号であり、第１ディジタル情報信号ｓ1を具えるプログラムＡが存在し、未知の形式の第２ディジタル情報信号ｓ2を具えるプログラムＢが存在することを示す。前記デコーダが再生時に前記第２ディジタル情報信号を復号化できるようにするために、前記デコーダは、前記第２ディジタル情報信号の信号の形式を知る必要がある。したがって、前記編集モードにおける第２ディジタル情報の記録中、前記装置は、パケットｐｉｃｐ2から成る第２プログラム情報を発生することができる。このパケットｐｉｃｐ2も第２トラック部分ＴＰ2に格納（記録）される再生時に、前記デコーダは、ｐｉｃｐパケットｐｉｃｐ1から、２つの情報信号が存在するかもしれないことを知り、パケットｐｉｃｐ2から、前記第２情報信号がどのような形式の信号であるかを知る。ユーザは、前記プログラムの一方を選択することができ、したがって、前記２つの信号の一方の再生を選択することができる。
状況IIIにおいて、前記第１トラック部分は、ディジタルビデオ信号のような第１ディジタル情報信号ｓ1の第１パケットＰ1と、パケット′ｐｉｃｐ1′から成る第１プログラム情報とを具える。前記第２トラック部分は、第２ディジタル情報信号ｓ2の情報を具える第２パケットＰ2と、パケットｐｉｃｐ2から成る第２プログラム情報とを具える。パケット′ｐｉｃｐ1′から成るプログラム情報に含まれるプログラム情報は、第１ディジタル情報信号ｓ1がディジタルビデオ信号のようなある形式ｔ（ｓ1）の情報信号であり、未知の形式の第２ディジタル情報信号ｓ2が存在するかもしれず、第１ディジタル情報信号ｓ1を具えるプログラムＡが存在し、第１および第２ディジタル信号ｓ1およびｓ2を具えるプログラムＢが存在することを示す。すなわち、プログラムＢにおいて、前記第１および第２ディジタル情報信号が互いに関係する。信号ｓ2は、未知の形式のものである。前記デコーダが再生時に前記第２ディジタル情報信号を復号化できるようにするために、前記デコーダは、第２ディジタル情報信号ｓ2の信号の形式を知る必要がある。したがって、前記編集モードにおける第２ディジタル情報の記録中、前記装置は、パケットｐｉｃｐ2から成る第２プログラム情報を発生することができる。このパケットｐｉｃｐ2も第２トラック部分ＴＰ2に格納（記録）される。再生時に、前記デコーダは、ｐｉｃｐ1パケットから、２つの情報信号が存在するかもしれないことを知る。ユーザは、前記プログラムの一方を選択することができる。プログラムＡを選択すると、信号ｓ1のみが再生される。プログラムＢを選択すると、双方の信号が再生され、ここで、パケットｐｉｃｐ2を前記第２情報信号の形式の確認に使用する。
状況IVにおいて、前記第１トラック部分は、ディジタルビデオ信号のような第１ディジタル情報信号ｓ1の第１パケットＰ1と、ディジタルオーディオ信号のような第２ディジタル情報信号ｓ2と、パケット′ｐｉｃｐ，′から成る第１プログラム情報とを具える。前記第２トラック部分は、追加オーディオ信号のような第３ディジタル情報信号ｓ2の情報を具える第３パケットＰ3と、パケットｐｉｃｐ2から成る第２プログラム情報とを具える。パケット′ｐｉｃｐ1′から成るプログラム情報に含まれるプログラム情報は、第１ディジタル情報信号ｓ1がディジタルビデオ信号のようなある形式ｔ（ｓ1）の情報信号であり、第２ディジタル情報信号ｓ2がディジタルオーディオ信号のようなある形式ｔ（ｓ2）の情報信号であり、未知の形式の第３ディジタル情報信号ｓ3が存在するかもしれず、前記第１、第２および第３ディジタル情報信号を具えるプログラムＡが存在し、これら３つのディジタル情報信号が互いに関係することを示す。前記第３ディジタル情報信号は、未知の形式のものである。前記デコーダが再生時に前記第３ディジタル情報信号を復号化できるようにするために、前記デコーダは、第３ディジタル情報信号ｓ3の信号の形式を知る必要がある。したがって、前記編集モードにおける第３ディジタル情報の記録中、前記装置は、パケットｐｉｃｐ2から成る第２プログラム情報を発生することができる。このパケットｐｉｃｐ2も第２トラック部分ＴＰ2に格納（記録）され、前記第３ディジタル情報信号の形式を示し、これをオーディオ信号またはデータ信号としてもよい。再生時に、前記デコーダは、ｐｉｃｐ1パケットから、３つの情報信号が存在するかもしれないことを知る。ユーザは、前記３つの信号の１つまたはそれ以上を選択することができる。さらに特に、ユーザは、信号ｓ1およびｓ2の同時の再生、または、信号ｓ1およびｓ3の同時の再生を選択することができる。信号ｓ3の再生を選択した状況において、パケットｐｉｃｐ2を前記デコーダにおいて使用する。
状況Vにおいて、前記第１トラック部分は、ディジタルビデオ信号のような第１ディジタル情報信号ｓ1の第１パケットＰ1と、ディジタルオーディオ信号のような第２ディジタル情報信号ｓ2と、パケット′ｐｉｃｐ1′から成る第１プログラム情報とを具える。前記第２トラック部分は、追加オーディオ信号のような第３ディジタル情報信号ｓ2の情報を具える第３パケットＰ3と、パケットｐｉｃｐ2から成る第２プログラム情報とを具える。パケット′ｐｉｃｐ1′から成るプログラム情報に含まれるプログラム情報は、第１ディジタル情報信号ｓ1がディジタルビデオ信号のようなある形式ｔ（ｓ1）の情報信号であり、第２ディジタル情報信号ｓ2がディジタルオーディオ信号のようなある形式ｔ（ｓ2）の情報信号であり、未知の形式の第３ディジタル情報信号ｓ3が存在するかもしれず、前記第１および第２ディジタル情報信号を具えるプログラムＡが存在し、これら２つのディジタル情報信号が互いに関係し、前記第１および第３ディジタル情報信号を具えるプログラムＢが存在し、これら２つのディジタル情報信号が互いに関係することを示す。再生時に、前記デコーダは、ｐｉｃｐ1パケットから、３つの情報信号が存在し、２つのプログラムに結合されているかもしれないことを知る。ユーザは、前記２つのプログラムの一方の再生を選択することができる。前記第２トラック部分に格納されたパケットｐｉｃｐ2を再び使用し、前記第３ディジタル情報信号の形式を確認し、前記第３ディジタル情報信号を復号化する。
状況VIにおいて、前記第１トラック部分は、第１ディジタル情報信号ｓ1の第１パケットＰ1と、ディジタルオーディオ信号のような第２ディジタル情報信号ｓ2と、パケット′ｐｉｃｐ1′から成る第１プログラム情報とを具える。前記第２トラック部分は、追加オーディオ信号のような第３ディジタル情報信号ｓ2の情報を具える第３パケットＰ3と、パケットｐｉｃｐ2から成る第２プログラム情報とを具える。パケット′ｐｉｃｐ1′から成るプログラム情報に含まれるプログラム情報は、第１ディジタル情報信号ｓ1がディジタルビデオ信号のようなある形式ｔ（ｓ1）の情報信号であり、第２ディジタル情報信号ｓ2がディジタルオーディオ信号のようなある形式ｔ（ｓ2）の情報信号であり、未知の形式の第３ディジタル情報信号ｓ3が存在するかもしれず、前記第１および第２ディジタル情報信号を具えるプログラムＡが存在し、これら２つのディジタル情報信号が互いに関係し、前記３つのディジタル情報信号を具えるプログラムＢが存在し、これら３つのディジタル情報信号が互いに関係することを示す。パケットｐｉｃｐ2は、再び、前記第３ディジタル情報信号の形式を示す。再生時に、前記デコーダは、ｐｉｃｐ1パケットから、３つの情報信号が存在し、２つのプログラムに結合されているかもしれないことを知る。ユーザは、前記２つのプログラムの一方の再生を選択することができ、ｐｉｃｐ2パケットを前記第３ディジタル情報信号の復号化および再生に使用することができる。
前記記録および後の編集ステップを行う装置は、図８の参照と共に上述した６つの状況の１つを得るために、図２、４および６の装置のいくつかの変更を必要とする。さらに特に、これらの変更は、（非符号化第１ディジタル情報信号を受ける実施例において）パケットｐｉｃｐ1およびｐｉｃｐ2の発生に属し、または、前記受けたＭＰＥＧデータストリームに含まれるパケットのパケットｐｉｃp1およびｐｉｃｐ2への変換に属する。
前記装置が、前記元記録ステップにおいて未符号化（まだＭＰＥＧ符号化されていない）ディジタルビデオ信号および対応するディジタルオーディオ信号を受ける状況（図９における状況IV）において、前記装置は、前記ディジタルビデオ信号およびディジタルオーディオ信号のＭＰＥＧ符号化中パケットｐｉｃｐ1を発生し、パケットＰ1、Ｐ2およびｐｉｃｐ1をトラック部分ＴＰ1に格納する。したがってパケットｐｉｃｐ1は、その形式が未知の追加情報信号ｓ3の存在を予測する。後の編集ステップにおいて、追加情報信号をトラック部分ＴＰ3に記録することができる。前記装置は、ユーザによって前記信号の形式について知らされ、受けた前記情報信号をパケットＰ3に符号化し、パケットｐｉｃｐ2を発生する。その後、パケットＰ3およびｐｉｃｐ2のシリアルデータストリームを、第２トラック部分ＴＰ2に記録する。
前記装置が、前記元記録ステップにおいて（ＭＰＥＧ）符号化ディジタルビデオ信号を受ける状況において、前記装置は、受けた前記情報ストリームからパケットから成るプログラム情報を検索し、前記パケットから成るプログラム情報を図９に示すパケットｐｉｃｐ1に変換する。次に、パケットＰ1、Ｐ2およびｐｉｃｐ1のシリアルデータストリームを、トラック部分ＴＰ1に格納する。したがってパケットｐｉｃｐ1は、その形式が未知の追加情報信号ｓ3の存在を予測する。
後の編集ステップにおいて、追加情報信号をトラック部分ＴＰ3に記録することができる。前記装置は、ユーザによって、前記編集ステップにおいて受けた信号の形式について知らされ、受けた前記情報信号をパケットＰ3に符号化し、パケットｐｉｃｐ2を発生する。その後、パケットＰ3およびｐｉｃｐ2のシリアルデータストリームを、第２トラック部分ＴＰ2に記録する。
本発明は、前記説明した実施例のみに限定されないが、添付した請求の範囲のみに制限され、規定されることを認められたい。必要ならば、前記編集ステップを可能にするために、先願の欧州特許出願公開明細書第９５２０１６８８．９号に記載の教えを上述した装置に用いることができる。この目的のために、この先願明細書の内容を、参照によって本明細書に組み込まれるものとする。
関連文書
（Ｄ１）  欧州特許出願公開明細書第４９２７０４号
（Ｄ２）  １９９４年１１月１３日付のISO/IEC 13.818国際標準パート１‘システム’
（Ｄ３）  １９９４年４月８日付出願の米国特許出願０８／２２５，１９３号明細書
（Ｄ４）  １９９４年６月３日付出願の米国特許出願０８／２５３，５３５号明細書
（Ｄ５）  １９９５年６月２２日付出願の欧州特許出願公開明細書第９５２０１６８８．９号
【図面の簡単な説明】
図１は、ＭＰＥＧ符号化情報信号のシリアルデータストリームを図式的に示す。
図２は、本発明による装置の第１実施例を示す。
図３は、前記装置によって得られる記録キャリヤを示す。
図４は、図２の装置に含まれ、編集ステップを行う追加の要素を示す。
図５は、前記第２トラック部分から読み出された前記第３パケットを含むパケットの再生シリアルデータストリームを示す。
図６は、前記装置の他の実施例を示す。
図７は、前記記録キャリヤの長手方向に延びるトラックにおける情報の格納を示す。
図８は、受けることができ、記録することができる信号の組み合わせの種々の状態を示す。
図９は、まだ形式が分からない追加の情報信号の編集を可能にする、本発明の他の実施例を示す。
【図１】
0003916665.tif 000002
【図２】
0003916665.tif 000003
【図５】
0003916665.tif 000004
【図３】
0003916665.tif 000005
【図４】
0003916665.tif 000006
【図６】
0003916665.tif 000007
【図７】
0003916665.tif 000008
【図８】
0003916665.tif 000009
【図９】
0003916665.tif 000010